(57)【要約】【課題】正確な時刻同期を可能にし、かつ、ＮＴＰサーバの負荷を軽減することが可能な無線通信ネットワーク時刻同期システムを提供する。【解決手段】無線装置ＮＥ１〜ＮＥ１２（以下無線装置ＮＥと略称）は、無線信号品質の劣化または切断が発生した時あるいは無線信号品質の劣化または切断状態が解消した時、ＳＮＭＰ  Ｔｒａｐをネットワーク管理システムＮＭＳに対して送信し、ネットワーク管理システムＮＭＳは、無線装置ＮＥから無線信号品質の劣化または切断状態が解消した旨を示すアラーム項目を含むＳＮＭＰ  Ｔｒａｐを受け取った際に、該ＳＮＭＰ  Ｔｒａｐの送信元の無線装置NEが属するリンクにおいてＮＴＰマルチサーバ機能を有する親無線装置ＮＥ（例えば、リンク１の場合、無線装置ＮＥ１）を宛先として、当該リンクに属する各子無線装置ＮＥに対し時刻通知用のＮＴＰマルチキャストパケットをマルチキャスト形式で配信することを指示する。【選択図】        図１
2014030166.tif 000002
【特許請求の範囲】
【請求項１】
無線通信ネットワークにおける時刻同期を行う無線通信ネットワーク時刻同期システムであって、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期システムにおいて、
前記無線装置は、無線信号品質の劣化を検知した時および無線信号品質の劣化が解消した時に、無線信号品質の劣化の旨を示すアラーム項目または無線信号品質の劣化が解消した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号品質の劣化が解消した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信することを指示する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする無線通信ネットワーク時刻同期システム。
【請求項２】
前記無線装置が無線信号品質の劣化を検知する場合は、受信した無線信号のビットエラーの割合を示すＢＥＲ（Bit  Error  Rate）が、あらかじめ定めたｈｉｇｈ  ＢＥＲ閾値を超える場合、または、あらかじめ定めたｌｏｗ  ＢＥＲ閾値を超える場合であることを特徴とする請求項１に記載の無線通信ネットワーク時刻同期システム。
【請求項３】
無線通信ネットワークにおける時刻同期を行う無線通信ネットワーク時刻同期システムであって、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期システムにおいて、
前記無線装置は、無線信号の切断を検知した時または無線信号の切断状態から接続状態に回復した時に、無線信号の切断状態発生の旨を示すアラーム項目または無線信号の切断状態から回復した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号の切断状態から回復した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする無線通信ネットワーク時刻同期システム。
【請求項４】
前記無線装置は、あらかじめ定めた周期で周期的に、無線信号品質または無線信号の切断に関する状況を監視し、前記ネットワーク監視システムに対して前回送信した前記ＳＮＭＰ  Ｔｒａｐパケットのアラーム項目が示していた状況と異なる状況を検知した際に、その旨を示すアラーム項目を含む前記ＳＮＭＰ  Ｔｒａｐパケットを前記ネットワーク管理システムに対して送信することを特徴とする請求項１ないし３のいずれかに記載の無線通信ネットワーク時刻同期システム。
【請求項５】
前記ＮＴＰサーバは、現用と予備との冗長構成からなり、前記ネットワーク管理システムは、あらかじめ定めた周期で周期的に、上位の現用ＮＴＰサーバと各前記親無線装置との間の時刻同期状況を監視し、時刻同期が外れた時刻同期失敗状態の前記親無線装置を検知した際に、当該親無線装置に対して、上位の現用ＮＴＰサーバを予備ＮＴＰサーバに切り替える指示を送信することにより、当該親無線装置と上位のＮＴＰサーバとの間の時刻同期を回復させる制御を行うことを特徴とする請求項１ないし４のいずれかに記載の無線通信ネットワーク時刻同期システム。
【請求項６】
無線通信ネットワークにおける時刻同期を行う無線通信ネットワーク時刻同期システムにおける無線通信ネットワーク時刻同期方法であって、前記無線通信ネットワーク時刻同期システムは、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期方法において、
前記無線装置は、無線信号品質の劣化を検知した時および無線信号品質の劣化が解消した時に、無線信号品質の劣化の旨を示すアラーム項目または無線信号品質の劣化が解消した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号品質の劣化が解消した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信することを指示する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする無線通信ネットワーク時刻同期方法。
【請求項７】
前記無線装置が無線信号品質の劣化を検知する場合は、受信した無線信号のビットエラーの割合を示すＢＥＲ（Bit  Error  Rate）が、あらかじめ定めたｈｉｇｈ  ＢＥＲ閾値を超える場合、または、あらかじめ定めたｌｏｗ  ＢＥＲ閾値を超える場合であることを特徴とする請求項６に記載の無線通信ネットワーク時刻同期方法。
【請求項８】
無線通信ネットワークにおける時刻同期を行う無線通信ネットワーク時刻同期システムにおける無線通信ネットワーク時刻同期方法であって、前記無線通信ネットワーク時刻同期システムは、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期方法において、
前記無線装置は、無線信号の切断を検知した時または無線信号の切断状態から接続状態に回復した時に、無線信号の切断状態発生の旨を示すアラーム項目または無線信号の切断状態から回復した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号の切断状態から回復した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする無線通信ネットワーク時刻同期方法。
【請求項９】
前記ＮＴＰサーバは、現用と予備との冗長構成からなり、前記ネットワーク管理システムは、あらかじめ定めた周期で周期的に、上位の現用ＮＴＰサーバと各前記親無線装置との間の時刻同期状況を監視し、時刻同期が外れた時刻同期失敗状態の前記親無線装置を検知した際に、当該親無線装置に対して、上位の現用ＮＴＰサーバを予備ＮＴＰサーバに切り替える指示を送信することにより、当該親無線装置と上位のＮＴＰサーバとの間の時刻同期を回復させる制御を行うことを特徴とする請求項６ないし８のいずれかに記載の無線通信ネットワーク時刻同期方法。
【請求項１０】
請求項６ないし９のいずれかに記載の無線通信ネットワーク時刻同期方法を、前記無線装置または前記ネットワーク管理システムに搭載のコンピュータによって実行することが可能なプログラムとして実施していることを特徴とする無線通信ネットワーク時刻同期プログラム。
【発明の詳細な説明】
【技術分野】
【０００１】
本発明は、無線通信ネットワーク時刻同期システム、無線通信ネットワーク時刻同期方法および無線通信ネットワーク時刻同期プログラムに関する。
【背景技術】
【０００２】
従来の技術として、特許文献１の特開２００３−１１０５６２号公報「時刻同期システムおよび時刻同期方法」に開示された無線通信ネットワークの時刻同期システムは、例えば、図８のシステム構成図に示すように、監視対象の複数の無線装置であるＮＴＰクライアントＣ１１、Ｃ１２、Ｃ１３がマルチキャスト用のＬｉｎｋＡ（リンクＡ）上に接続されていて、ネットワークの時刻情報を供給するＮＴＰ（Network  Time  Protocol）サーバＳ１との時刻同期を行うというネットワーク構成からなっている。そして、該時刻同期システムにおいては、ＮＴＰサーバＳ１とＮＴＰクライアントＣ１１、Ｃ１２、Ｃ１３との間にはＮＴＰマルチサーバ機能とＮＴＰクライアント機能とを有するルータＲ１が配置されている。図８は、前記特許文献１に記載の従来の時刻同期システムのシステム構成を示すシステム構成図である。
【０００３】
ここで、ルータＲ１は、マルチキャスト用のＬｉｎｋＡ上に接続されているＮＴＰクライアントＣ１１、Ｃ１２、Ｃ１３からの時刻問い合わせ要求があらかじめ定めた所定の数よりも多いと判断すると、時刻問い合わせ要求を送出したＬｉｎｋＡ上のすべてのＮＴＰクライアントＣ１１、Ｃ１２、Ｃ１３に対してマルチキャスト形式でルータＲ１の内部時刻を配信する。また、ルータＲ１の内部時刻とＮＴＰサーバＳ１の時刻との誤差があらかじめ定めた所定値以内であれば、ルータＲ１からＮＴＰサーバＳ１への時刻問い合わせ要求の送出間隔を長くする。而して、該特許文献１に記載の技術を適用することによって、ＮＴＰサーバＳ１の負荷を軽減するという効果を奏することができるとしている。
【先行技術文献】
【特許文献】
【０００４】
【特許文献１】特開２００３−１１０５６２号公報（第４−６頁）
【発明の開示】
【発明が解決しようとする課題】
【０００５】
しかしながら、マルチキャスト配信を行うマルチキャストサーバは、一般に、指定されたＩＰｖ４やＩＰｖ６のローカルブロードキャストアドレスやマルチキャストグループアドレスに対して定期的にかつ自発的にメッセージを送り、そして、通常、クライアントからのリクエストを必要としない仕組みが採用されている。したがって、無線通信ネットワークにおいて、図８に示すような従来の時刻同期システムを適用しようとすると、マルチキャストサーバとして動作するルータＲ１は、ＮＴＰクライアントＣ１１、Ｃ１２、Ｃ１３側の状況の如何を参酌することなく、ＮＴＰクライアントＣ１１、Ｃ１２、Ｃ１３に対して定期的にかつ自発的に時刻通知用のマルチキャストパケットを送信する動作を繰り返すことになり、その結果として、無線信号の瞬断が頻繁に起きてしまうと、時刻通知用のマルチキャストパケットを無線通信ネットワーク内で紛失してしまうという問題が発生する。
【０００６】
すなわち、前記特許文献１に記載のような従来の時刻同期システムは、無線通信ネットワークとして、ＮＴＰクライアントＣ１１、Ｃ１２、Ｃ１３における時刻の正確性を犠牲にして、ＮＴＰサーバＳ１の負荷を軽減するという仕組みであり、正確な時刻同期が必要な無線通信ネットワークに関しては、かくのごとき仕組みを適用することができないという問題があった。
【０００７】
（本発明の目的）
本発明は、かかる問題に鑑みてなされたものであり、正確な時刻同期を可能にし、かつ、ＮＴＰサーバの負荷を軽減することが可能な無線通信ネットワーク時刻同期システム、無線通信ネットワーク時刻同期方法および無線通信ネットワーク時刻同期プログラムを提供することを、その目的としている。
【課題を解決するための手段】
【０００８】
前述の課題を解決するため、本発明による無線通信ネットワーク時刻同期システム、無線通信ネットワーク時刻同期方法および無線通信ネットワーク時刻同期プログラムは、主に、次のような特徴的な構成を採用している。
【０００９】
（１）本発明による無線通信ネットワーク時刻同期システムは、無線通信ネットワークにおける時刻同期を行う無線通信ネットワーク時刻同期システムであって、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期システムにおいて、
前記無線装置は、無線信号品質の劣化を検知した時および無線信号品質の劣化が解消した時に、無線信号品質の劣化の旨を示すアラーム項目または無線信号品質の劣化が解消した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号品質の劣化が解消した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信することを指示する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする。
【００１０】
（２）本発明による無線通信ネットワーク時刻同期システムは、無線通信ネットワークにおける時刻同期を行う無線通信ネットワーク時刻同期システムであって、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期システムにおいて、
前記無線装置は、無線信号の切断を検知した時または無線信号の切断状態から接続状態に回復した時に、無線信号の切断状態発生の旨を示すアラーム項目または無線信号の切断状態から回復した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号の切断状態から回復した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする。
【００１１】
（３）本発明による無線通信ネットワーク時刻同期方法は、無線通信ネットワークにおける時刻同期を行う無線通信ネットワーク時刻同期システムにおける無線通信ネットワーク時刻同期方法であって、前記無線通信ネットワーク時刻同期システムは、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期方法において、
前記無線装置は、無線信号品質の劣化を検知した時および無線信号品質の劣化が解消した時に、無線信号品質の劣化の旨を示すアラーム項目または無線信号品質の劣化が解消した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号品質の劣化が解消した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信することを指示する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする。
【００１２】
（４）本発明による無線通信ネットワーク時刻同期方法は、無線通信ネットワークにおける時刻同期を行う無線通信ネットワーク時刻同期システムにおける無線通信ネットワーク時刻同期方法であって、前記無線通信ネットワーク時刻同期システムは、前記無線通信ネットワークの時刻情報を供給するＮＴＰ（Network  Time  Protocol）サーバと、該ＮＴＰサーバの時刻情報を参照する１ないし複数の無線装置と、該無線装置を監視するネットワーク管理システムとを少なくとも含んで構成され、前記ＮＴＰサーバは、ＮＴＰプロトコルを搭載したサーバとして動作し、また、前記ネットワーク管理システムは、ＳＮＭＰ（Simple  Network  Management  Protocol）プロトコルを搭載したＳＮＭＰサーバとして動作し、また、前記無線装置それぞれは、ＳＮＭＰプロトコルとＮＴＰプロトコルとを搭載して、ＳＮＭＰクライアントとして動作するとともに、１ないし複数のＮＴＰマルチキャスト用のリンクそれぞれを構成するＮＴＰマルチサーバ機能を有する親無線装置と該親無線装置に対するＮＴＰクライアントとして動作する子無線装置とからなり、該ＮＴＰマルチサーバ機能を有する親無線装置は、前記ＮＴＰサーバからの時刻通知用のＮＴＰパケットをあらかじめ定めた周期で周期的にユニキャスト形式で受け取り、かつ、同一リンクに属するＮＴＰクライアントとして動作する各子無線装置に対して時刻通知用のＮＴＰマルチキャストパケットをマルチキャスト形式で配信する無線通信ネットワーク時刻同期方法において、
前記無線装置は、無線信号の切断を検知した時または無線信号の切断状態から接続状態に回復した時に、無線信号の切断状態発生の旨を示すアラーム項目または無線信号の切断状態から回復した旨を示すアラーム項目を含むＳＮＭＰ  Ｔｒａｐパケットを前記ネットワーク管理システムに対して送信し、前記ネットワーク管理システムは、前記無線装置からの該ＳＮＭＰ  Ｔｒａｐパケットのうち無線信号の切断状態から回復した旨を示すアラーム項目を含むＳＮＭＰ  Ｔｒａｐパケットを受け取った際に、該ＳＮＭＰ  Ｔｒａｐパケットの送信元の前記無線装置が属するリンクにおいて前記ＮＴＰマルチサーバ機能を有する親無線装置を宛先として、当該リンクに属する各子無線装置に対して時刻通知用のＮＴＰマルチキャストパケットをマルチキャスト形式で配信する配信指示を送信することにより、該配信指示を受け取った前記ＮＴＰマルチサーバ機能を有する親無線装置は、当該リンクに属する各子無線装置に対して時刻通知用のＮＴＰマルチキャストパケットをマルチキャスト形式で配信することを特徴とする。
【００１３】
（５）本発明による無線通信ネットワーク時刻同期プログラムは、少なくとも前記（３）または（４）に記載の無線通信ネットワーク時刻同期方法を、前記無線装置または前記ネットワーク管理システムに搭載のコンピュータによって実行することが可能なプログラムとして実施していることを特徴とする。
【発明の効果】
【００１４】
本発明の無線通信ネットワーク時刻同期システム、無線通信ネットワーク時刻同期方法および無線通信ネットワーク時刻同期プログラムによれば、以下のような効果を奏することができる。
【００１５】
すなわち、本発明は、無線通信ネットワークにおいて、各無線装置（ＮＥ：Network  Equipment）を監視するためのネットワーク管理システム（ＮＭＳ：Network  Management  System）を配置して、該ネットワーク管理システム（ＮＭＳ）が、各無線装置（ＮＥ）の無線信号瞬断と接続状況とを監視した結果に基づいて、ＮＴＰ(Network  Time  Protocol)マルチキャストサーバの機能を有する無線装置（ＮＥ）からＮＴＰマルチキャスト用の同一Ｌｉｎｋ（リンク）に属する各無線装置（ＮＥ）に対する時刻通知用のマルチキャストパケットの送信時刻を制御する仕組みを採用している。したがって、時刻通知用のマルチキャストパケットを無線通信ネットワーク内で紛失してしまうことを確実に防止して、無線通信ネットワークとして正確な時刻同期を実現することを可能にし、かつ、ネットワークの時刻情報を供給するＮＴＰ(Network  Time  Protocol)サーバの負荷を軽減することができる。
【図面の簡単な説明】
【００１６】
【図１】本発明による無線通信ネットワーク時刻同期システムのシステム構成の一例を示すシステム構成図である。
【図２（Ａ）】ＳＮＭＰクライアントである無線装置ＮＥにおける固有の管理情報ベースＭＩＢの項目を例示する説明図である。
【図２（Ｂ１）】無線信号劣化アラーム項目／切断アラーム項目において、受信した無線信号のビットエラーの発生割合を示すＢＥＲ（Bit  Error  Rate）があらかじめ定めたｈｉｇｈ  ＢＥＲ閾値を超える場合のｈｉｇｈ  ＢＥＲ  Ａｌａｒｍ（無線信号劣化アラーム）を定義したものを例示する説明図である。
【図２（Ｂ２）】無線信号劣化アラーム項目／切断アラーム項目において、受信した無線信号のビットエラーの発生割合を示すＢＥＲがあらかじめ定めたｌｏｗ  ＢＥＲ閾値を超える場合のｌｏｗ  ＢＥＲ  Ａｌａｒｍ（無線信号劣化アラーム）を定義したものを例示する説明図である。
【図２（Ｂ３）】無線信号劣化アラーム項目／切断アラーム項目において、無線信号の切断状態が発生した場合のｄｉｓｃｏｎｎｅｃｔ  Ａｌａｒｍ（切断アラーム）を定義したものを例示する説明図である。
【図２（Ｃ）】ＮＴＰマルチキャスト配信制御項目を定義したものを例示する説明図である。
【図３】図１の無線通信ネットワーク時刻同期システムの動作の一例を説明するためのシーケンス図である。
【図４】各無線装置のＩＰアドレスとマルチキャスト用のＮＴＰマルチサーバＩＰアドレスとの対応関係を記載したアドレス対応表の一例を示すテーブルである。
【図５】本発明による無線通信ネットワーク時刻同期システムの図１の場合とは異なるシステム構成の一例を示すシステム構成図である。
【図６（Ａ）】現用ＮＴＰサーバおよび予備ＮＴＰサーバのＩＰアドレス設定項目と時刻同期状態監視項目とを定義する際の無線装置ＮＥにおける装置固有の管理情報ベースＭＩＢを定義した一例を示す説明図である。
【図６（Ｂ）】現用ＮＴＰサーバおよび予備ＮＴＰサーバのＩＰアドレス設定項目を管理情報ベースＭＩＢとして定義した一例を示す説明図である。
【図６（Ｃ）】現用ＮＴＰサーバおよび現用に切り替わった際の予備ＮＴＰサーバと親無線装置ＮＥとの間の時刻同期状態監視項目を管理情報ベースＭＩＢとして定義した一例を示す説明図である。
【図７】図５の無線通信ネットワーク時刻同期システムの動作の一例を説明するためのシーケンス図である。
【図８】従来の時刻同期システムのシステム構成を示すシステム構成図である。
【発明を実施するための形態】
【００１７】
以下、本発明による無線通信ネットワーク時刻同期システム、無線通信ネットワーク時刻同期方法および無線通信ネットワーク時刻同期プログラムの好適な実施形態について添付図を参照して説明する。なお、以下の説明においては、本発明による無線通信ネットワーク時刻同期システムおよび無線通信ネットワーク時刻同期方法について説明するが、かかる無線通信ネットワーク時刻同期方法をコンピュータにより実行可能な無線通信ネットワーク時刻同期プログラムとして実施するようにしても良いし、あるいは、無線通信ネットワーク時刻同期プログラムをコンピュータにより読み取り可能な記録媒体に記録するようにしても良いことは言うまでもない。
【００１８】
（本発明の特徴）
本発明の実施形態の説明に先立って、本発明の特徴についてその概要をまず説明する。本発明は、無線通信ネットワークにおいて、各無線装置ＮＥ（Network  Equipment）を監視するためのネットワーク管理システムＮＭＳ（Network  Management  System）を配置して、該ネットワーク管理システムＮＭＳが、各無線装置ＮＥの無線信号瞬断と接続状況とを監視した結果に基づいて、ＮＴＰ(Network  Time  Protocol)マルチキャストサーバの機能を有する無線装置ＮＥからＮＴＰマルチキャスト用の同一Ｌｉｎｋ（リンク）に属する各無線装置ＮＥに対する時刻通知用のマルチキャストパケットの送信時刻を制御することによって、正確な時刻同期を実現することを可能にし、かつ、ネットワークの時刻情報を供給するＮＴＰサーバの負荷の軽減を可能にする仕組みを備えることを主要な特徴としている。
【００１９】
より具体的には、本発明は、次のような仕組みを実現している。
【００２０】
（１)無線装置ＮＥの無線信号瞬断の検出時
ネットワーク管理システムＮＭＳは、無線通信ネットワークを監視制御するために、各無線装置ＮＥから、アラーム情報およびイベントログをＳＮＭＰ  Ｔｒａｐパケットによって受信して、保持する機能を備えている。そして、ネットワーク管理システムＮＭＳは、各無線装置ＮＥから通知されてくるアラーム情報の中に、無線信号の劣化に関わる項目（すなわち、ｈｉｇｈ  ＢＥＲ（Bit  Error  Rate）閾値検出アラームまたはｌｏｗ  ＢＥＲ閾値検出アラーム）が含まれていた場合、無線信号の瞬断が発生したものと判定する。
【００２１】
ネットワーク管理システムＮＭＳは、かくのごとき無線信号の瞬断が発生したことを検知した後、無線装置ＮＥから、無線信号瞬断のアラームが解除された旨を示すＳＮＭＰ  Ｔｒａｐパケットを受信したタイミングにおいて、該ＳＮＭＰ  Ｔｒａｐパケットの送信元の無線装置ＮＥと同じＮＴＰマルチキャスト用のＬｉｎｋ（リンク）に属する各子無線装置ＮＥに対するＮＴＰマルチキャストサーバ機能を有している親無線装置ＮＥに対して、時刻通知用のＮＴＰマルチキャストパケットを配信するように指示する配信指示制御を行う。該配信指示制御により、ＮＴＰマルチキャストサーバ機能を有する親無線装置ＮＥは、同じＬｉｎｋ（リンク）に属する配下の各子無線装置ＮＥに対して時刻通知用のＮＴＰマルチキャストパケットを配信する処理を行う。
【００２２】
（２)無線装置ＮＥの切断から接続への状態変更の検出時
ネットワーク管理システムＮＭＳは、無線装置ＮＥから、切断アラームが解除された旨を示すＳＮＭＰ  Ｔｒａｐパケットを受信した場合においても、発生していた無線信号の瞬断状態が解消したものと判定して、（１)項の無線装置ＮＥの無線信号瞬断の検出時の場合と同様、該ＳＮＭＰ  Ｔｒａｐパケットの送信元の無線装置ＮＥと同じＬｉｎｋ（リンク）に属する各子無線装置ＮＥに対するＮＴＰマルチキャストサーバ機能を有する親無線装置ＮＥに対して、時刻通知用のＮＴＰマルチキャストパケットを配信するように指示する配信指示制御を行う。該配信指示制御により、ＮＴＰマルチキャストサーバ機能を有する親無線装置ＮＥは、同じＬｉｎｋ（リンク）に属する配下の各子無線装置ＮＥに対して時刻通知用のＮＴＰマルチキャストパケットを配信する処理を行う。
【００２３】
また、本発明においては、無線通信ネットワークの時刻情報を供給するＮＴＰ（Network  Time  Protocol）サーバは、現用予備の冗長構成例えば現用ＮＴＰサーバと予備ＮＴＰサーバとを備えた構成からなっていて、ネットワーク管理システムＮＭＳは、ネットワークを監視制御するために、あらかじめ定めた周期で、周期的に、各子無線装置ＮＥに対するＮＴＰマルチキャストサーバ機能を有する親無線装置ＮＥと現用ＮＴＰサーバとの間の時刻同期状況を監視し、現用ＮＴＰサーバと親無線装置ＮＥとの間の時刻同期が得られていない状況が発生したことを検知した場合、直ちに、現用ＮＴＰサーバと予備ＮＴＰサーバとを切り替える制御を行い、新たに現用になったＮＴＰサーバと親無線装置ＮＥとの間の時刻同期を確立する動作を制御することも主要な特徴としている。
【００２４】
（実施形態の構成例） 
次に、本発明による無線通信ネットワーク時刻同期システムの実施形態について、そのシステム構成の一例を、図１を用いて説明する。図１は、本発明による無線通信ネットワーク時刻同期システムのシステム構成の一例を示すシステム構成図であり、本発明による無線通信ネットワーク時刻同期方法を適用した無線通信ネットワークの一例として、ネットワークの時刻情報を供給するＮＴＰ(Network  Time  Protocol)サーバＳ１と、該ＮＴＰサーバＳ１の時刻を参照する無線装置ＮＥ１〜ＮＥ１２と、さらに、該無線装置ＮＥ１〜ＮＥ１２を監視するネットワーク管理システムＮＭＳとを少なくとも含んで構成される無線通信ネットワークの構成例を示している。
【００２５】
図１のシステム構成図において、ネットワーク管理システムＮＭＳは、ＳＮＭＰ（Simple  Network  Management  Protocol）プロトコルを搭載し、ＳＮＭＰサーバとして動作し、ネットワーク管理システムＮＭＳの監視対象とされる無線装置ＮＥ１〜ＮＥ１２は、いずれも、ＳＮＭＰプロトコルとＮＴＰプロトコルとを搭載し、ＳＮＭＰクライアントおよびＮＴＰクライアントとして動作する。なお、ＮＴＰサーバＳ１は、ＮＴＰプロトコルを搭載し、無線通信ネットワークを構成する無線装置ＮＥ１〜ＮＥ１２に対して時刻情報を供給するサーバとして動作する。
【００２６】
ここで、図１に示す例においては、無線装置ＮＥ１〜ＮＥ１２のうち、無線装置ＮＥ１、ＮＥ５、ＮＥ９は、親無線装置であり、ＮＴＰサーバＳ１にはＮＴＰユニキャストクライアントとして設定され、ＮＴＰサーバＳ１と無線装置ＮＥ１、ＮＥ５、ＮＥ９それぞれとの間は、あらかじめ定めた周期で周期的に、１対１のＮＴＰユニキャスト形式のトランザクション通信による時刻同期を行う。さらに、無線装置ＮＥ１、ＮＥ５、ＮＥ９は、ＮＴＰクライアントとしての機能のみならず、それぞれ、ＮＴＰマルチキャスト用のＬｉｎｋ１（リンク１）、Ｌｉｎｋ２（リンク２）、Ｌｉｎｋ３（リンク３）上に子無線装置として接続されている無線装置ＮＥ２、ＮＥ３、ＮＥ４、無線装置ＮＥ６、ＮＥ７、ＮＥ８、無線装置ＮＥ１０、ＮＥ１１、ＮＥ１２それぞれに対する親無線装置として、それぞれの親無線装置と同一のＮＴＰマルチキャスト用のＬｉｎｋ（リンク）に属する無線装置ＮＥ２、ＮＥ３、ＮＥ４、無線装置ＮＥ６、ＮＥ７、ＮＥ８、無線装置ＮＥ１０、ＮＥ１１、ＮＥ１２の各子無線装置に対して時刻通知用のＮＴＰマルチキャスト配信を行うＮＴＰマルチサーバとしての機能も備えている。
【００２７】
つまり、無線装置ＮＥ１〜ＮＥ１２のうち、子無線装置である無線装置ＮＥ２、ＮＥ３、ＮＥ４は、親無線装置の無線装置ＮＥ１とＬｉｎｋ１の無線回線により接続され、子無線装置である無線装置ＮＥ６、ＮＥ７、ＮＥ８は、親無線装置の無線装置ＮＥ５とＬｉｎｋ２の無線回線により接続され、…、子無線装置である無線装置ＮＥ１０、ＮＥ１１、ＮＥ１２は、親無線装置の無線装置ＮＥ９とＬｉｎｋ３の無線回線により接続されている。そして、子無線装置である無線装置ＮＥ２、ＮＥ３、ＮＥ４、ＮＥ６、ＮＥ７、ＮＥ８、…、ＮＥ１０、ＮＥ１１、ＮＥ１２は、いずれも、ＮＴＰサーバＳ１にＮＴＰマルチキャストクライアントとして設定され、ＮＴＰサーバＳ１と無線装置ＮＥ２、ＮＥ３、ＮＥ４、ＮＥ６、ＮＥ７、ＮＥ８、ＮＥ１０、ＮＥ１１、ＮＥ１２のマルチキャストクライアントそれぞれとの間は、ＮＴＰマルチサーバとして機能する親無線装置の無線装置ＮＥ１、ＮＥ５、ＮＥ９それぞれを介して、１対Ｎ（本実施形態の場合は、Ｎ＝３）のＮＴＰマルチキャスト形式のトランザクション通信による時刻同期を行う。
【００２８】
なお、図１の例においては、Ｌｉｎｋ１を構成する無線装置ＮＥ１〜ＮＥ４それぞれのＩＰアドレスは、それぞれ、'１７１．１８．０．１'、'１７１．１８．０．２'、'１７１．１８．０．３'、'１７１．１８．０．４'であり、Ｌｉｎｋ２を構成する無線装置ＮＥ５〜ＮＥ８それぞれのＩＰアドレスは、それぞれ、'１７１．１８．１．１'、'１７１．１８．１．２'、'１７１．１８．１．３'、'１７１．１８．１．４'であり、…、Ｌｉｎｋ３を構成する無線装置ＮＥ９〜ＮＥ１２それぞれのＩＰアドレスは、それぞれ、'１７１．１８．２．１'、'１７１．１８．２．２'、'１７１．１８．２．３'、'１７１．１８．２．４'であるものとする。
【００２９】
また、ＳＮＭＰサーバであるネットワーク管理システムＮＭＳは、ＳＮＭＰクライアントである無線装置ＮＥ１〜ＮＥ１２側の管理情報ベースＭＩＢ（Management  Information  Base）として、個別のアラーム項目を、例えば図２に示すように、定義する。図２は、ＳＮＭＰクライアントである無線装置ＮＥ１〜ＮＥ１２側の管理情報ベースＭＩＢとして個別アラーム項目を定義した一例を示す説明図である。
【００３０】
図２に示すように、ＳＮＭＰサーバとなるネットワーク管理システムＮＭＳの監視対象である各無線装置ＮＥ１〜ＮＥ１２においては、ＳＮＭＰクライアントのツリー上のオブジェクトの集合体として、図２（Ａ）の装置固有のＭＩＢ項目を示す装置ＭＩＢの定義の次に、図２（Ｂ）に示す無線信号劣化アラーム項目／切断アラーム項目、あるいは、図２（Ｃ）に示すＮＴＰマルチキャスト配信制御項目を定義している。なお、図２（Ｂ）の無線信号劣化アラーム項目／切断アラーム項目については、図２（Ｂ１）には、受信した無線信号のビットエラーの発生割合を示すＢＥＲ（Bit  Error  Rate）があらかじめ定めたｈｉｇｈ  ＢＥＲ閾値を超える場合のｈｉｇｈ  ＢＥＲ  Ａｌａｒｍ（無線信号劣化アラーム）を定義したものを例示し、図２（Ｂ２）には、受信した無線信号のビットエラーの発生割合を示すＢＥＲがあらかじめ定めたｌｏｗ  ＢＥＲ閾値を超える場合のｌｏｗ  ＢＥＲ  Ａｌａｒｍ（無線信号劣化アラーム）を定義したものを例示し、図２（Ｂ３）には、無線信号の切断状態が発生した場合のｄｉｓｃｏｎｎｅｃｔ  Ａｌａｒｍ（切断アラーム）を定義したものを例示している。
【００３１】
図２（Ｂ１）のｈｉｇｈ  ＢＥＲ  Ａｌａｒｍ（無線信号劣化アラーム）のアラーム項目においては、「highBERAlarm  OBJECT-TYPE」のＳＹＮＴＡＸに定義しているように、アラームが発生していない場合は、none（０）、無線信号品質の劣化した状態が解消してｈｉｇｈ  ＢＥＲ  Ａｌａｒｍのアラームが解除された場合は、'Alarm  Clear（１）'、無線信号品質の劣化が発生してｈｉｇｈ  ＢＥＲ  Ａｌａｒｍのアラームが発生した場合は、'Alarm  Occur（２）'が設定される。また、図２（Ｂ２）のｌｏｗ  ＢＥＲ  Ａｌａｒｍ（無線信号劣化アラーム）のアラーム項目においては、「lowBERAlarm  OBJECT-TYPE」のＳＹＮＴＡＸに定義しているように、アラームが発生していない場合は、none（０）、無線信号品質の劣化した状態が解消してｌｏｗ  ＢＥＲ  Ａｌａｒｍのアラームが解除された場合は、'Alarm  Clear（１）'、無線信号品質の劣化が発生してｌｏｗ  ＢＥＲ  Ａｌａｒｍのアラームが発生した場合は、'Alarm  Occur（２）'が設定される。また、図２（Ｂ３）のｄｉｓｃｏｎｎｅｃｔ  Ａｌａｒｍ（切断アラーム）のアラーム項目においては、「disconnectAlarm  OBJECT-TYPE」のＳＹＮＴＡＸに定義しているように、アラームが発生していない場合は、none（０）、無線信号の切断状態から接続状態に回復してｄｉｓｃｏｎｎｅｃｔ  Ａｌａｒｍのアラームが解除した場合は、'Alarm  Clear（１）'、無線信号の切断状態が発生してｄｉｓｃｏｎｎｅｃｔ  Ａｌａｒｍのアラームが発生した場合は、'Alarm  Occur（２）'が設定される。
【００３２】
また、図２（Ｃ）のＮＴＰマルチキャスト配信制御項目においては、「ntpMulticast  OBJECT-TYPE」のＳＹＮＴＡＸに定義しているように、ＮＴＰマルチキャスト配信を行わない場合は、none（０）、ＮＴＰマルチキャスト配信を行う場合は、'send（１）'が設定される。
【００３３】
（実施形態の動作の説明）
次に、図１に示した無線通信ネットワーク時刻同期システムの動作について図３のシーケンス図を用いてその一例を説明する。図３は、図１の無線通信ネットワーク時刻同期システムの動作の一例を説明するためのシーケンス図であり、ＳＮＭＰサーバであるネットワーク管理システムＮＭＳ、監視対象となるＳＮＭＰクライアントの無線装置ＮＥ（図３においては、無線装置ＮＥ２〜ＮＥ４、無線装置ＮＥ６〜ＮＥ８、無線装置ＮＥ１０〜ＮＥ１１の各子無線装置のいずれかを意味している）、および、ＳＮＭＰクライアントでありかつ同一Ｌｉｎｋ内の各無線装置ＮＥにＮＴＰマルチキャストを行うＮＴＰマルチサーバとしての機能を有する無線装置ＮＥ（無線装置ＮＥ１、ＮＥ５、ＮＥ９の各親無線装置のいずれかを意味している）との間で送受信されるデータと内容とについて時系列的に説明している。
【００３４】
まず、ＳＮＭＰクライアントのいずれかの無線装置ＮＥにおいてアラームが発生した時またはアラームが解除した時には、当該無線装置ＮＥからネットワーク管理システムＮＭＳに対するＳＮＭＰ  Ｔｒａｐパケットの送信処理を行う（シーケンスＳｅｑ１）。ここで、当該無線装置ＮＥにおいて発生または解除するアラームとは、ｈｉｇｈ  ＢＥＲ  Ａｌａｒｍ（無線信号劣化アラーム）、ｌｏｗ  ＢＥＲ  Ａｌａｒｍ（無線信号劣化アラーム）、ｄｉｓｃｏｎｎｅｃｔ  Ａｌａｒｍ（切断アラーム）のいずれかであり、かくのごときアラーム発生時または解除時においては、当該無線装置ＮＥは、図２に個別アラーム項目として定義した、ｈｉｇｈ  ＢＥＲ  Ａｌａｒｍ（無線信号劣化アラーム）、ｌｏｗ  ＢＥＲ  Ａｌａｒｍ（無線信号劣化アラーム）、ｄｉｓｃｏｎｎｅｃｔ  Ａｌａｒｍ（切断アラーム）のいずれかの管理情報ベースＭＩＢの値をＳＮＭＰ  Ｔｒａｐパケットに設定してネットワーク管理システムＮＭＳに対して送信する。
【００３５】
また、アラーム発生時または解除時の無線装置ＮＥからネットワーク管理システムＮＭＳへの通知は、無線装置ＮＥ内で、あらかじめ定めた周期（例えば１分周期）で、周期的に、個別アラームに変化があるか否かを確認し、個別アラームに変化があれば、アラーム通知を行うようにしている。また、無線装置ＮＥからネットワーク管理システムＮＭＳへの最初のアラーム通知については、アラーム発生項目のみの通知を行い、個別アラーム項目の値を無線装置ＮＥ内に保持しておく。しかる後の１周期後には、当該個別アラーム項目の前の周期で保持していた値と現在の値とを比較して、変化がある場合にのみ、ネットワーク管理システムＮＭＳへのアラーム通知を行う。これにより、アラーム通知による無線通信ネットワークの負荷の増大を抑制するようにしている。
【００３６】
無線装置ＮＥからのＳＮＭＰ  Ｔｒａｐパケットによるアラーム通知を受け取ったネットワーク管理システムＮＭＳは、まず、受け取ったＳＮＭＰ  Ｔｒａｐパケットに記載されている送信元アドレスを参照して、アラーム通知用のＳＮＭＰ  Ｔｒａｐパケットの送信元である無線装置ＮＥのＩＰアドレスを抽出する（シーケンスＳｅｑ２）。さらに、ネットワーク管理システムＮＭＳは、受け取ったＳＮＭＰ  Ｔｒａｐパケットに記載されている個別アラーム項目を解析して、アラームの解除すなわち無線信号劣化アラーム項目（ｈｉｇｈ  ＢＥＲ  Ａｌａｒｍまたはｌｏｗ  ＢＥＲ  Ａｌａｒm）の解除あるいは切断アラーム項目(ｄｉｓｃｏｎｎｅｃｔ  Ａｌａｒｍ)の解除を示す項目として、ＭＩＢ値が'Alarm  Clear（１）'を含むＳＮＭＰ  Ｔｒａｐパケットを受け取ったか否かを確認する。アラーム解除を示すＳＮＭＰ  Ｔｒａｐパケットを受け取った場合には、当該無線装置ＮＥにおける無線信号の瞬断状態から回復したものと見做して、まず、ＳＮＭＰ  Ｔｒａｐパケットの送信元のＩＰアドレスをキーにして、ネットワーク管理システムＮＭＳに保持している図４のアドレス対応表を検索する。
【００３７】
図４は、各無線装置ＮＥ１〜ＮＥ１２のＩＰアドレスとＮＴＰサーバＳ１が保持している各Ｌｉｎｋごとのマルチキャスト用のＮＴＰマルチサーバＩＰアドレスとの対応関係を記載したアドレス対応表の一例を示すテーブルであり、ＮＥ名Ｔ１、各ＮＥのＩＰアドレスＴ２、同じＬｉｎｋに属するＮＴＰマルチサーバＩＰアドレスＴ３（すなわちＮＴＰマルチサーバ機能を有する親無線装置のＩＰアドレス）からなっている。ここで、図４に示すアドレス対応表は、図１のシステム構成図に示したシステム構成例の場合を示しており、ＮＴＰマルチサーバＩＰアドレスＴ３には、ＮＴＰサーバＳ１に接続されて、各Ｌｉｎｋ１，２，３ごとのＮＴＰマルチサーバとして機能する親無線装置の無線装置ＮＥ１、ＮＥ５、ＮＥ９それぞれのＩＰアドレスと同じＩＰアドレスが、各Ｌｉｎｋ１，２，３それぞれの子無線装置に対するマルチキャスト用のＩＰアドレスとして、無線装置ＮＥ２、ＮＥ３、ＮＥ４、無線装置ＮＥ６、ＮＥ７、ＮＥ８、無線装置ＮＥ１０、ＮＥ１１、ＮＥ１２のそれぞれに設定登録される。
【００３８】
ネットワーク管理システムＮＭＳは、ＳＮＭＰ  Ｔｒａｐパケットの送信元のＩＰアドレスをキーにしたアドレス対応表の検索結果として、ＮＴＰマルチサーバＩＰアドレスＴ３を参照して、同じＬｉｎｋに属するＮＴＰマルチサーバＩＰアドレスつまり同じＬｉｎｋに属するＮＴＰマルチサーバとして機能する親無線装置ＮＥ（すなわち無線装置ＮＥ１、ＮＥ５、ＮＥ９のいずれか）のＩＰアドレスを探索する。しかる後、ネットワーク管理システムＮＭＳは、探索したＮＴＰマルチサーバＩＰアドレスを宛先にして、同じＬｉｎｋに属する各子無線装置ＮＥに対して時刻通知用のＮＴＰマルチキャスト配信を行うことを指示するためのＮＴＰマルチキャスト配信制御用のＳｅｔ  Ｒｅｑｕｅｓｔコマンドを送信する(シーケンスＳｅｑ３)。
【００３９】
ネットワーク管理システムＮＭＳからのＮＴＰマルチキャスト配信制御用のＳｅｔ  Ｒｅｑｕｅｓｔコマンドを受け取ったＮＴＰマルチサーバとして機能する親無線装置ＮＥ（すなわち無線装置ＮＥ１、ＮＥ５、ＮＥ９のいずれか）は、まず、内部に保持しているマルチキャスト配信制御用のＭＩＢ項目の値を、図２（Ｃ）に示したように、マルチキャスト配信を行うために'send（１）'に設定する。しかる後、同じＬｉｎｋに属する配下の子無線装置ＮＥ（例えば、ＮＴＰマルチサーバとなる親無線装置ＮＥがＬｉｎｋ１の無線装置ＮＥ１の場合は、同じＬｉｎｋ１に属する配下の子無線装置である無線装置ＮＥ２、ＮＥ３、ＮＥ４）に対して、時刻通知用のＮＴＰマルチキャストパケットをＮＴＰマルチキャスト配信する処理を行う（シーケンスＳｅｑ４）。当該ＮＴＰマルチサーバに該当する親無線装置ＮＥは、ＮＴＰマルチキャストの配信処理が完了すると、マルチキャスト配信制御用のＭＩＢ項目の値を、'send（１）'から'none（０）'にクリアする。
【００４０】
しかる後においては、当該ＮＴＰマルチサーバに該当する親無線装置ＮＥは、あらかじめ定めた周期で、周期的に、ネットワーク管理システムＮＭＳからのＮＴＰマルチキャスト配信制御のＳｅｔ  Ｒｅｑｕｅｓｔコマンドを受け取って、マルチキャスト配信制御用のＭＩＢ項目の値が'none（０）'から'send（１）'に変わったか否かのチェックを行う。'none（０）'から'send（１）'に変わったことを検出すると、同じＬｉｎｋに属する配下の子無線装置ＮＥに対して、ＮＴＰマルチキャスト配信を行う処理を繰り返す。
【００４１】
（本実施形態の効果の説明）
以上に詳細に説明したように、本実施形態においては、次のような効果が得られる。
【００４２】
すなわち、図１に示すように、無線通信ネットワークにおいて、各無線装置ＮＥ（Network  Equipment）を監視するためのネットワーク管理システムＮＭＳ（Network  Management  System）を配置して、該ネットワーク管理システムＮＭＳが、各無線装置ＮＥの無線信号瞬断と接続状況とを監視した結果に基づいて、ＮＴＰ(Network  Time  Protocol)マルチキャストサーバの機能を有する親無線装置ＮＥ（無線装置ＮＥ１、ＮＥ５、ＮＥ９のいずれかの無線装置）からＮＴＰマルチキャスト用の同一Ｌｉｎｋ（リンク）に属する各子無線装置ＮＥ（無線装置ＮＥ２〜ＮＥ４、無線装置ＮＥ６〜ＮＥ８、無線装置ＮＥ１０〜ＮＥ１１のいずれかの無線装置群）に対する時刻通知用のマルチキャストパケットの送信時刻を制御する仕組みを採用している。したがって、時刻通知用のマルチキャストパケットを無線通信ネットワーク内で紛失してしまうことを確実に防止して、無線通信ネットワークとして正確な時刻同期を実現することを可能にし、かつ、ネットワークの時刻情報を供給するＮＴＰ(Network  Time  Protocol)サーバの負荷を軽減することができる。
【００４３】
（他の実施形態の構成例） 
次に、本発明による無線通信ネットワーク時刻同期システムの前記実施形態とは異なる他の実施形態について、そのシステム構成の一例を、図５を用いて説明する。図５は、本発明による無線通信ネットワーク時刻同期システムの図１の場合とは異なるシステム構成の一例を示すシステム構成図であり、図１の場合のシステム構成とは、ネットワークの時刻情報を供給するＮＴＰ(Network  Time  Protocol)サーバが、現用ＮＴＰサーバＳ１と予備ＮＴＰサーバＳ２とを有する現用予備冗長構成からなっている点を除いて、全く同様のシステム構成である場合を示している。すなわち、図５の無線通信ネットワーク時刻同期システムは、本発明による無線通信ネットワーク時刻同期方法を適用した無線通信ネットワークの一例として、ネットワークの時刻情報を供給する現用ＮＴＰサーバＳ１と予備ＮＴＰサーバＳ２、該現用ＮＴＰサーバＳ１の時刻を参照する無線装置ＮＥ１〜ＮＥ１２と、さらに、該無線装置ＮＥ１〜ＮＥ１２を監視するネットワーク管理システムＮＭＳとを少なくとも含んで構成されている。
【００４４】
図５のシステム構成図において、ネットワーク管理システムＮＭＳは、図１のシステム構成図の場合と同様、ＳＮＭＰ（Simple  Network  Management  Protocol）プロトコルを搭載し、ＳＮＭＰサーバとして動作し、ネットワーク管理システムＮＭＳの監視対象とされる無線装置ＮＥ１〜ＮＥ１２は、図１のシステム構成図の場合と同様、いずれも、ＳＮＭＰプロトコルとＮＴＰプロトコルとを搭載し、ＳＮＭＰクライアントおよびＮＴＰクライアントとして動作する。なお、現用ＮＴＰサーバＳ１および予備ＮＴＰサーバＳ２は、いずれも、ＮＴＰプロトコルを搭載し、現用ＮＴＰサーバＳ１および現用に切り替わった際の予備ＮＴＰサーバＳ２は、無線通信ネットワークを構成する無線装置ＮＥ１〜ＮＥ１２に対して時刻情報を供給するサーバとして動作する。
【００４５】
ここで、図５に示す例においても、図１の場合と同様、無線装置ＮＥ１〜ＮＥ１２のうち、無線装置ＮＥ１、ＮＥ５、ＮＥ９は、親無線装置であり、現用ＮＴＰサーバＳ１および予備ＮＴＰサーバＳ２にはＮＴＰユニキャストクライアントとして設定され、現用ＮＴＰサーバＳ１および現用に切り替わった際の予備ＮＴＰサーバＳ２と無線装置ＮＥ１、ＮＥ５、ＮＥ９それぞれとの間は、あらかじめ定めた周期で、周期的に、１対１のＮＴＰユニキャスト形式のトランザクション通信による時刻同期を行う。さらに、無線装置ＮＥ１、ＮＥ５、ＮＥ９は、ＮＴＰクライアントとしての機能のみならず、それぞれ、ＮＴＰマルチキャスト用のＬｉｎｋ１（リンク１）、Ｌｉｎｋ２（リンク２）、Ｌｉｎｋ３（リンク３）上に子無線装置として接続されている無線装置ＮＥ２、ＮＥ３、ＮＥ４、無線装置ＮＥ６、ＮＥ７、ＮＥ８、無線装置ＮＥ１０、ＮＥ１１、ＮＥ１２それぞれに対する親無線装置として、それぞれの親無線装置と同一のＮＴＰマルチキャスト用のＬｉｎｋ（リンク）に属する無線装置ＮＥ２、ＮＥ３、ＮＥ４、無線装置ＮＥ６、ＮＥ７、ＮＥ８、無線装置ＮＥ１０、ＮＥ１１、ＮＥ１２の各子無線装置に対して時刻通知用のＮＴＰマルチキャスト配信を行うＮＴＰマルチサーバとしての機能も備えている。
【００４６】
つまり、無線装置ＮＥ１〜ＮＥ１２のうち、子無線装置である無線装置ＮＥ２、ＮＥ３、ＮＥ４は、親無線装置の無線装置ＮＥ１とＬｉｎｋ１の無線回線により接続され、子無線装置である無線装置ＮＥ６、ＮＥ７、ＮＥ８は、親無線装置の無線装置ＮＥ５とＬｉｎｋ２の無線回線により接続され、…、子無線装置である無線装置ＮＥ１０、ＮＥ１１、ＮＥ１２は、親無線装置の無線装置ＮＥ９とＬｉｎｋ３の無線回線により接続されている。そして、子無線装置である無線装置ＮＥ２、ＮＥ３、ＮＥ４、ＮＥ６、ＮＥ７、ＮＥ８、…、ＮＥ１０、ＮＥ１１、ＮＥ１２は、いずれも、ＮＴＰサーバＳ１にＮＴＰマルチキャストクライアントとして設定され、ＮＴＰサーバＳ１と無線装置ＮＥ２、ＮＥ３、ＮＥ４、ＮＥ６、ＮＥ７、ＮＥ８、ＮＥ１０、ＮＥ１１、ＮＥ１２のマルチキャストクライアントそれぞれとの間は、ＮＴＰマルチサーバとして機能する親無線装置の無線装置ＮＥ１、ＮＥ５、ＮＥ９それぞれを介して、１対Ｎ（本実施形態の場合は、Ｎ＝３）のＮＴＰマルチキャスト形式のトランザクション通信による時刻同期を行う。
【００４７】
なお、図５の例においても、図１の場合と同様、Ｌｉｎｋ１を構成する無線装置ＮＥ１〜ＮＥ４それぞれのＩＰアドレスは、それぞれ、'１７１．１８．０．１'、'１７１．１８．０．２'、'１７１．１８．０．３'、'１７１．１８．０．４'であり、Ｌｉｎｋ２を構成する無線装置ＮＥ５〜ＮＥ８それぞれのＩＰアドレスは、それぞれ、'１７１．１８．１．１'、'１７１．１８．１．２'、'１７１．１８．１．３'、'１７１．１８．１．４'であり、…、Ｌｉｎｋ３を構成する無線装置ＮＥ９〜ＮＥ１２それぞれのＩＰアドレスは、それぞれ、'１７１．１８．２．１'、'１７１．１８．２．２'、'１７１．１８．２．３'、'１７１．１８．２．４'であるものとする。
【００４８】
また、ＳＮＭＰサーバであるネットワーク管理システムＮＭＳは、装置固有の管理情報ベースＭＩＢ（Management  Information  Base）として、現用ＮＴＰサーバＳ１および予備ＮＴＰサーバＳ２のＩＰアドレス（ＮＴＰ  Ｓｅｒｖｅｒ  ＩＰ  Ａｄｄｒｅｓｓ）の設定項目と、現用ＮＴＰサーバＳ１と親無線装置ＮＥ１、ＮＥ５、ＮＥ９との間の時刻同期状態を監視するための時刻同期状態監視項目とを、例えば図６に示すように、定義している。図６は、現用ＮＴＰサーバＳ１および予備ＮＴＰサーバＳ２のＩＰアドレス設定項目と時刻同期状態監視項目とを無線装置ＮＥ１、ＮＥ５、ＮＥ９における装置固有の管理情報ベースＭＩＢとして定義した一例を示す説明図である。つまり、図６（Ａ）は、現用ＮＴＰサーバＳ１および予備ＮＴＰサーバＳ２のＩＰアドレス設定項目と時刻同期状態監視項目とを定義する際の無線装置ＮＥにおける装置固有の管理情報ベースＭＩＢを定義した一例を示す説明図であり、また、図６（Ｂ）は、現用ＮＴＰサーバＳ１および予備ＮＴＰサーバＳ２のＩＰアドレス設定項目を管理情報ベースＭＩＢとして定義した一例を示す説明図であり、また、図６（Ｃ）は、現用ＮＴＰサーバＳ１および現用に切り替わった際の予備ＮＴＰサーバＳ２と親無線装置ＮＥ１、ＮＥ５、ＮＥ９との間の時刻同期状態監視項目を管理情報ベースＭＩＢとして定義した一例を示す説明図である。
【００４９】
図６に示すように、ＳＮＭＰサーバとなるネットワーク管理システムＮＭＳの監視対象である各親無線装置ＮＥ１、ＮＥ５、ＮＥ９においては、ＳＮＭＰクライアントのツリー上のオブジェクトの集合体として、図６（Ａ）の装置固有のＭＩＢ項目を示す装置ＭＩＢの定義の次に、図６（Ｂ）に示す現用ＮＴＰサーバＳ１のＩＰアドレス（ＮＴＰ  Ｓｅｒｖｅｒ  ＩＰ  Ａｄｄｒｅｓｓ）の設定項目、あるいは、図６（Ｃ）に示す時刻同期状態監視項目を定義している。なお、図６（Ｂ）の現用ＮＴＰサーバＳ１のＩＰアドレス設定項目については、現用のＮＴＰサーバのＩＰアドレスが設定されており、現用のＮＴＰサーバが予備ＮＴＰサーバＳ２に切り替わった場合には、現用に切り替わった予備ＮＴＰサーバＳ２のＩＰアドレスが設定される。
【００５０】
また、図６（Ｃ）の時刻同期状態監視項目においては、「NTPstatus  OBJECT-TYPE」のＳＹＮＴＡＸに定義しているように、現用ＮＴＰサーバＳ１と親無線装置ＮＥ１、ＮＥ５、ＮＥ９との間の時刻同期外れが発生していない場合は、none（０）、ＮＴＰサーバの現用予備切替により時刻同期外れが解消された場合は、'Success（１）'、現用ＮＴＰサーバＳ１と親無線装置ＮＥ１、ＮＥ５、ＮＥ９との間の時刻同期外れが発生した場合は、'Failed（２）'が設定される。
【００５１】
（他の実施形態の動作の説明）
次に、図５に示した無線通信ネットワーク時刻同期システムの動作について図７のシーケンス図を用いてその一例を説明する。図７は、図５の無線通信ネットワーク時刻同期システムの動作の一例を説明するためのシーケンス図であり、ＳＮＭＰサーバであるネットワーク管理システムＮＭＳと監視対象となるＳＮＭＰクライアントの親無線装置ＮＥ（図７においては、ＳＮＭＰクライアントでありかつ同一Ｌｉｎｋ内の各無線装置ＮＥにＮＴＰマルチキャストを行うＮＴＰマルチサーバとしての機能を有する各親無線装置ＮＥ１、ＮＥ５、ＮＥ９のいずれかを意味している）との間で送受信されるデータと内容とについて時系列的に説明している。
【００５２】
まず、ネットワーク管理システムＮＭＳは、あらかじめ定めた周期（例えば１日に１回）ごとに、周期的に、時刻同期状態の監視対象である各親無線装置ＮＥに対して、時刻同期状況監視項目の取得要求となるＧｅｔ  Ｒｅｑｕｅｓｔコマンドの送信処理を行う（シーケンスＳｅｑ１１）。ここで、取得要求の時刻同期状況監視項目とは、図６（Ｃ）のＳＮＭＰ  ＭＩＢとして定義した項目のことである。
【００５３】
ネットワーク管理システムＮＭＳからのＧｅｔ  Ｒｅｑｕｅｓｔコマンドを受け取った親無線装置ＮＥは、当該親無線装置ＮＥと現用ＮＴＰサーバＳ１との間の時刻同期状態を示す時刻同期状況監視項目として保持しているＭＩＢ値を取り出して、取り出した該時刻同期状況監視項目のＭＩＢ値を含むＧｅｔ  Ｒｅｓｐｏｎｓｅコマンドを生成して、Ｇｅｔ  Ｒｅｑｕｅｓｔコマンドの送信元のネットワーク管理システムＮＭＳに対して返信する（シーケンスＳｅｑ１２）。ここで、親無線装置ＮＥは、時刻同期状況監視項目として、前回の時刻同期失敗状態から今回の状態が異なり時刻同期成功の状態に回復した場合には、ＭＩＢ値を'Ｓｕｃｃｅｓｓ（１）'に設定して保持しており、前回の時刻同期成功状態が今回も継続していた場合には、ＭＩＢ値を'ｎｏｎｅ（０）'に設定して保持している。一方、今回の時刻同期状態が失敗していた場合には、前回の時刻同期状態の如何によらず、ＭＩＢ値を'Ｆａｉｌｅｄ（２）'に設定して保持している。
【００５４】
親無線装置ＮＥからのＧｅｔ  Ｒｅｓｐｏｎｓｅコマンドを受け取ったネットワーク管理システムＮＭＳは、該Ｇｅｔ  Ｒｅｓｐｏｎｓｅコマンドに含まれている時刻同期状況監視項目のＭＩＢ値を解析して、当該親無線装置と上位の現用ＮＴＰサーバＳ１との間の時刻同期が外れた時刻同期失敗の状態になっているか否かを判別する（シーケンスＳｅｑ１３）。つまり、図６（Ｃ）に示すＭＩＢ定義においては、該Ｇｅｔ  Ｒｅｓｐｏｎｓｅコマンドに含まれている時刻同期状況監視項目のＭＩＢ値が'Ｆａｉｌｅｄ（２）'であるか否かを判別する。
【００５５】
親無線装置ＮＥと上位の現用ＮＴＰサーバＳ１との間の時刻同期が外れた時刻同期失敗の状態になり、時刻同期状況監視項目のＭＩＢ値が'Ｆａｉｌｅｄ（２）'のＧｅｔ  Ｒｅｓｐｏｎｓｅコマンドを受け取った場合には、ネットワーク管理システムＮＭＳは、当該親無線装置ＮＥに関する上位のＮＴＰサーバを現用ＮＴＰサーバＳ１から予備ＮＴＰサーバＳ２へ切り替えるＮＴＰサーバの現用予備切替動作を実施する。例えば、図５に×印を付して示すように、親無線装置ＮＥ１、ＮＥ５、ＮＥ９のうち、親無線装置ＮＥ９と上位の現用ＮＴＰサーバＳ１との間の時刻同期が外れた時刻同期失敗の状態になっていることを検知した場合には、ネットワーク管理システムＮＭＳは、図５に一点鎖線で示すように、親無線装置ＮＥ９は、現用ＮＴＰサーバＳ１から予備ＮＴＰサーバＳ２へ切り替えた状態に接続することにより、時刻同期を回復させるように動作する。一方、その他の親無線装置ＮＥ１、ＮＥ５については、上位の現用ＮＴＰサーバＳ１との間の時刻同期が確保されている状態になっているので、上位のＮＴＰサーバの現用予備切替動作を行うことなく、そのまま、現用ＮＴＰサーバＳ１との間の接続状態を継続する。
【００５６】
ネットワーク管理システムＮＭＳは、上位の現用ＮＴＰサーバＳ１との間の時刻同期が外れた時刻同期失敗の状態になっている親無線装置ＮＥ例えば親無線装置ＮＥ９に関する上位のＮＴＰサーバの現用予備切替動作を行うために、予備ＮＴＰサーバＳ２のＩＰアドレスを取り出して、親無線装置ＮＥ９に関するＩＰアドレスを宛先にして、予備ＮＴＰサーバＳ２のＩＰアドレスを含むＳｅｔ  Ｒｅｑｕｅｓｔコマンドを生成して送信することにより、親無線装置ＮＥ９の上位の現用ＮＴＰサーバとして、予備ＮＴＰサーバＳ２のＩＰアドレスを設定することを指示する（シーケンスＳｅｑ１４）。
【００５７】
ネットワーク管理システムＮＭＳからのＳｅｔ  Ｒｅｑｕｅｓｔコマンドを受け取った親無線装置ＮＥ９は、Ｓｅｔ  Ｒｅｑｕｅｓｔコマンドに含まれている予備ＮＴＰサーバＳ２のＩＰアドレスに基づいて、図６（Ｂ）のＮＴＰ  Ｓｅｒｖｅｒ  ＩＰ  Ａｄｄｒｅｓｓ設定項目のＭＩＢ値について、現用に切り替わるべき予備ＮＴＰサーバＳ２のＩＰアドレスを設定することによって、現用のＮＴＰサーバとして予備ＮＴＰサーバＳ２を用いるように、現用ＮＴＰサーバＳ１を予備ＮＴＰサーバＳ２に切り替える処理を実施する。しかる後、親無線装置ＮＥ９は、新たに現用に設定した予備ＮＴＰサーバＳ２との間の時刻同期処理を実施して、時刻同期が得られ、予備ＮＴＰサーバＳ２の現用への切り替えが成功した場合には、切り替えが成功した旨の情報を含むＳｅｔ  Ｒｅｓｐｏｎｓｅコマンドを生成して、Ｓｅｔ  Ｒｅｑｕｅｓｔコマンドの送信元のネットワーク管理システムＮＭＳに対して返信する（シーケンスＳｅｑ１５）。
【００５８】
親無線装置ＮＥ９からのＳｅｔ  Ｒｅｓｐｏｎｓｅコマンドを受け取ったネットワーク管理システムＮＭＳは、該Ｓｅｔ  Ｒｅｓｐｏｎｓｅコマンドに含まれている切り替えが成功したか否かを示す情報を解析して、予備ＮＴＰサーバＳ２への切り替えが成功したことを確認する。ネットワーク管理システムＮＭＳは、その後、あらかじめ定めた周期（例えば１日に１回）に達すると、シーケンスＳｅｑ１１の場合と同様、時刻同期状態の監視対象である各親無線装置ＮＥに対して、時刻同期状況監視項目の取得要求となるＧｅｔ  Ｒｅｑｕｅｓｔコマンドの送信処理を行う（シーケンスＳｅｑ１６）。
【００５９】
ネットワーク管理システムＮＭＳからのＧｅｔ  Ｒｅｑｕｅｓｔコマンドを受け取った親無線装置ＮＥは、シーケンスＳｅｑ１２の場合と同様、当該親無線装置ＮＥと現用ＮＴＰサーバＳ１との間の時刻同期状態を示す時刻同期状況監視項目として保持しているＭＩＢ値を取り出して、取り出した該時刻同期状況監視項目のＭＩＢ値を含むＧｅｔ  Ｒｅｓｐｏｎｓｅコマンドを生成して、Ｇｅｔ  Ｒｅｑｕｅｓｔコマンドの送信元のネットワーク管理システムＮＭＳに対して返信する（シーケンスＳｅｑ１７）。ここで、親無線装置ＮＥは、時刻同期状況監視項目として、前述したように、前回の時刻同期失敗状態から今回の状態が異なり時刻同期成功の状態に回復した場合には、ＭＩＢ値を'Ｓｕｃｃｅｓｓ（１）'に設定して保持しており、前回の時刻同期成功状態が今回も継続していた場合には、ＭＩＢ値を'ｎｏｎｅ（０）'に設定して保持している。一方、今回の時刻同期状態が失敗していた場合には、前回の時刻同期状態の如何によらず、ＭＩＢ値を'Ｆａｉｌｅｄ（２）'に設定して保持している。
【００６０】
親無線装置ＮＥからのＧｅｔ  Ｒｅｓｐｏｎｓｅコマンドを受け取ったネットワーク管理システムＮＭＳは、シーケンスＳｅｑ１３の場合と同様、該Ｇｅｔ  Ｒｅｓｐｏｎｓｅコマンドに含まれている時刻同期状況監視項目のＭＩＢ値を解析して、当該親無線装置ＮＥと上位の現用ＮＴＰサーバＳ１との間の時刻同期が外れた時刻同期失敗の状態になっているか否かを判別する（シーケンスＳｅｑ１８）。つまり、図６（Ｃ）に示すＭＩＢ定義においては、前述したように、該Ｇｅｔ  Ｒｅｓｐｏｎｓｅコマンドに含まれている時刻同期状況監視項目のＭＩＢ値が'Ｆａｉｌｅｄ（２）'であるか否かを判別する。
【００６１】
親無線装置ＮＥと上位の現用ＮＴＰサーバＳ１との間の時刻同期が得られている時刻同期成功の状態にあり、時刻同期状況監視項目のＭＩＢ値が'ｎｏｎｅ（０）'または'Ｓｕｃｃｅｓｓ（１）'のＧｅｔ  Ｒｅｓｐｏｎｓｅコマンドを受け取った場合には、ネットワーク管理システムＮＭＳは、何も処理を行うことなく、時刻同期監視動作を終了する（シーケンスＳｅｑ１９）。
【００６２】
以上にように、ネットワーク管理システムＮＭＳは、各親無線装置ＮＥについて上位の現用ＮＴＰサーバＳ１との時刻同期状況をあらかじめ定めた周期ごとに周期的に監視し、時刻同期が外れた時刻同期失敗状態に陥った親無線装置ＮＥを検知した場合には、直ちに、該当する親無線装置ＮＥの現用のＮＴＰサーバＳ１を予備ＮＴＰサーバＳ２へ切り替える動作を行って、上位のＮＴＰサーバとの正確な時刻同期を迅速かつ容易に回復することを可能にしている。この結果、ＮＴＰ(Network  Time  Protocol)マルチキャストサーバの機能を有する親無線装置ＮＥ（無線装置ＮＥ１、ＮＥ５、ＮＥ９のいずれかの無線装置）からＮＴＰマルチキャスト用の同一Ｌｉｎｋ（リンク）に属する各子無線装置ＮＥ（無線装置ＮＥ２〜ＮＥ４、無線装置ＮＥ６〜ＮＥ８、無線装置ＮＥ１０〜ＮＥ１１のいずれかの無線装置群）に対する時刻通知用のマルチキャストパケットの送信時刻を正確な時刻に設定することを可能にし、ネットワークとして正確な時刻同期を確保することが可能になる。
【００６３】
つまり、図１に示した前述の実施形態においては、上位のＮＴＰサーバＳ１が単一の構成であり、上位のＮＴＰサーバＳ１と親無線装置ＮＥ（無線装置ＮＥ１、ＮＥ５、ＮＥ９のいずれかの無線装置）との間の時刻同期が外れた時刻同期失敗状態が発生した場合には、代替する手段がなく、該当する親無線装置ＮＥとＮＴＰマルチキャスト用の同一Ｌｉｎｋ（リンク）に属する各子無線装置ＮＥ（無線装置ＮＥ２〜ＮＥ４、無線装置ＮＥ６〜ＮＥ８、無線装置ＮＥ１０〜ＮＥ１１のいずれかの無線装置群）に対して正確な時刻を通知することができなくなり、同一Ｌｉｎｋ（リンク）に属する各子無線装置ＮＥにおける時刻もずれてしまうという問題が発生してしまう。
【００６４】
これに対して、図５に示す本実施形態においては、上位のＮＴＰサーバは、例えば現用ＮＴＰサーバＳ１と予備ＮＴＰサーバＳ２とを備えた現用予備冗長構成からなっており、かつ、ネットワーク管理システムＮＭＳは、上位の現用ＮＴＰサーバＳ１と各親無線装置ＮＥ（無線装置ＮＥ１、ＮＥ５、ＮＥ９）との間の時刻同期状況をあらかじめ定めた周期ごとに周期的に監視する仕組みを備えているので、時刻同期が外れた時刻同期失敗状態になった親無線装置ＮＥを検知した際に、該親無線装置ＮＥの上位の現用ＮＴＰサーバＳ１を予備ＮＴＰサーバＳ２に切り替える制御を行い、当該親無線装置ＮＥは、新たに現用に切り替わった予備ＮＴＰサーバＳ２との間で時刻同期を実施することを可能にしている。
【００６５】
而して、上位の現用ＮＴＰサーバＳ１と親無線装置ＮＥとの間の時刻同期が外れた時刻同期失敗状態が発生した場合であっても、ネットワークの監視制御を行うネットワーク管理システムＮＭＳの制御により、上位の現用のＮＴＰサーバＳ１を予備ＮＴＰサーバＳ２に切り替えることによって、当該親無線装置ＮＥの時刻同期を迅速かつ容易に回復させ、該当する親無線装置ＮＥと同一Ｌｉｎｋ（リンク）に属する各子無線装置ＮＥ（無線装置ＮＥ２〜ＮＥ４、無線装置ＮＥ６〜ＮＥ８、無線装置ＮＥ１０〜ＮＥ１１のいずれかの無線装置群）に対して正確な時刻を通知することができ、ネットワークとして正確な時刻に同期させることができる。
【００６６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６７】
Ｃ１１    ＮＴＰクライアント
Ｃ１２    ＮＴＰクライアント
Ｃ１３    ＮＴＰクライアント
ＮＥ      無線装置
ＮＥ１    無線装置
ＮＥ２    無線装置
ＮＥ３    無線装置
ＮＥ４    無線装置
ＮＥ５    無線装置
ＮＥ６    無線装置
ＮＥ７    無線装置
ＮＥ８    無線装置
ＮＥ９    無線装置
ＮＥ１０  無線装置
ＮＥ１１  無線装置
ＮＥ１２  無線装置
ＮＭＳ    ネットワーク管理システム
Ｒ１      ルータ
Ｓ１      ＮＴＰサーバ（現用ＮＴＰサーバ）
Ｓ２      ＮＴＰサーバ（予備ＮＴＰサーバ）
Ｔ１      ＮＥ名
Ｔ２      各ＮＥ  ＩＰアドレス
Ｔ３      ＮＴＰマルチサーバＩＰアドレス
【図１】
2014030166.tif 000003
【図２（Ａ）】
2014030166.tif 000004
【図２（Ｂ１）】
2014030166.tif 000005
【図２（Ｂ２）】
2014030166.tif 000006
【図２（Ｂ３）】
2014030166.tif 000007
【図２（Ｃ）】
2014030166.tif 000008
【図３】
2014030166.tif 000009
【図４】
2014030166.tif 000010
【図５】
2014030166.tif 000011
【図６（Ａ）】
2014030166.tif 000012
【図６（Ｂ）】
2014030166.tif 000013
【図６（Ｃ）】
2014030166.tif 000014
【図７】
2014030166.tif 000015
【図８】
2014030166.tif 000016